(57)【特許請求の範囲】
【請求項１】
電気のアウトレットまたはプラグにケーブルを締めつけるための装置であって、締めつけられるケーブルに接続できる接続ジャックを収容する本体（１１１、２１１）から成り、アウトレットまたはプラグの前記本体内に、該本体とねじ付き締めつけナット（１１６、２１６）との間、前記ケーブルの入口側に配置されるつかみ要素（１１８、２１８）を有し、前記つかみ要素が、可撓性のジョー（１１９、２１９）を有し、円錐形受け座（１１７、２１７）によって前記本体に結合され、前記締めつけナットが前記本体にねじ込まれたとき、前記ケーブルのまわりに締めつけられて固定され、前記円錐形受け座が前記つかみ要素の前記可撓性のジョーを収容すること及び前記つかみ要素が前記締めつけナットとともに回転することを防止することを意図する溝（１１７’、２１７’）の形を成す装置において、前記つかみ要素（１１８、２１８）に二つの舌状部（１２２、１２３；２２２）が備えられ、該舌状部が前記ジョー（１１９、２１９）に平行で、前記本体外側の対応する切り欠き（１２４、１２５）に挿入されて滑動するようになっており、また前記舌状部が横向きの固定用の歯（１２２’、１２３’；２２２’）を有し、これらの歯が、前記切り欠きの両側面にある対向歯（１２４’、１２５’）又はステップ（２２４’）をさえぎって、前記つかみ要素が前記本体に対して後方に移動するときに、前記つかみ要素がはずれるのを防ぐようになっている、ことを特徴とする装置。
【請求項２】
前記締めつけナット（１１６、２１６）が内部カラー（１２１、２２１）を有し、該カラーのへりが環状溝（１２６、２２６）内にあって、該環状溝が前記つかみ要素（１１８、２１８）と前記ナットとの軸方向結合のために前記つかみ要素の頂部にある突出部のまわりに備えられている、ことを特徴とする請求項１に記載の装置。
【請求項３】
前記舌状部（１２２、１２３）の一方が他方よりも長く、前記本体の外側にある切り欠き（１２４、１２５）が前記舌状部の長さに適合した長さを有し、前記長い方の舌状部（１２２）が前記締めつけナット（１１６）の開口部から突き出ている、ことを特徴とする請求項１に記載の装置。
【請求項４】
歯列（１２７）が前記締めつけナット（１１６）の内側の、前記締めつけナットの開口部近くに備えられ、前記歯列が、前記舌状部（１２２、１２３）の一つに備えられた止め歯（１２８）と相互作用し、前記止め歯が、前記歯列と係合して、前記ナットがねじ込みの向きにだけ回転でき、ゆるめる向きには回転できないように付形されている、ことを特徴とする請求項１から３の中のいずれか１つに記載の装置。
【請求項５】
前記止め歯（１２８）が前記長い方の舌状部（１２２）の外側にあって、該止め歯が、前記ナットから突き出ている該舌状部の壁に係合する道具によって前記舌状部を内側に押すことによってのみ前記歯列からはずされうる、ことを特徴とする請求項４に記載の装置。
【請求項６】
歯列（２２７）が前記締めつけナット（２１６）の外側に備えてあり、前記歯列が、前記本体と一体に作られているラグ（２２８）上の止め歯（２２８’）と相互作用し、前記歯列が前記カラーの外側にあってこれに平行で、前記止め歯が、前記歯列（２２７）と係合して、前記ナットがねじ込みの向きにだけ回転でき、ゆるめる向きには回転できないように付形されている、ことを特徴とする請求項１又は２に記載の装置。
【請求項７】
前記本体の内部に取り付けられ、ケーブルのまわりを完全に密閉するシール（１２９、２２９）を備える、ことを特徴とする請求項１から６の中のいずれか１つに記載の装置。
【請求項８】
請求項１から７の中のいずれか１つに記載のケーブルを締めつけるための装置を有するアウトレットまたはプラグ。
【発明の詳細な説明】
本発明は、ケーブルを締めつけるための装置を有する、製造業および／または三次産業使用（ｉｎｄｕｓｔｒｉａｌ  ａｎｄ／ｏｒ  ｔｅｒｔｉａｒｙ  ｕｓｅ）のための電気のアウトレットまたはプラグに関する。
一般に、製造業および／または三次産業使用のためのアウトレットまたはプラグは、本体と接続ジャックから成る。接続ジャックは、本体内に収容され、アウトレットの場合には本体の一端に向いた接続開口部を有し、あるいはプラグの場合には本体の一端に向いたピンを有するであろう。そして、ジャックの開口部またはピンは適当なケーブル導線に接続される。このケーブルは本体の反対端からはいる。
導線がジャックからはずれるのを防ぐために、通常、ケーブルは本体内で締めつけられる。従来、この締めつけはいろいろな機構を用いて実施されているが、ひも型（ｔｉｅ-ｔｙｐｅ）の締めつけケーブル、すなわち、本体内に配置されるかまたはジャックに取りつけられていて、少なくとも一つの締めつけねじによってケーブルのまわりに締めつけられるバンド、によって実施されるのが普通である。
しかし、この機構は実施が容易でもなく実際的でもない。この機構は締めつけ手段を本体の内部に有し、締めつけのためにも解放のためにもいつでも道具たとえばねじ回しの使用を必要とするからである。
これに対して、本発明の目的は、簡単で使いやすく、道具が使えない場合でもケーブルの締めつけ／解放を容易に行うことのできる、アウトレットまたはプラグのケーブル締めつけのための装置を提案することである。
本発明のもう一つの目的は、ケーブル締めつけのためにアウトレットまたはプラグ本体の部分を有効に利用する、すなわち、追加される複雑な要素に頼ることのない、アウトレットまたはプラグのケーブルを締めつける装置を提案することである。
もう一つの目的は、ケーブルが締めつけられたときに偶発的な解放をふせぐことのできる手段をも有し、この手段が、締めつけ要素がアウトレットまたはプラグのケーブルの挿入または取りはずしのための解放位置にあるとき、締めつけ要素の非意図的かつ非制御はずれを防ぐためのものである、ケーブル締めつけ装置を有するアウトレットまたはプラグを提案することである。
前記目的は、本発明により、実質的に、アウトレットまたはプラグの本体内で該本体とねじ付きの締めつけナットとの間、ケーブルの入口側に配置されたつかみ要素から成る装置であって、該つかみ要素が円錐形の結合具によって前記本体に結合され、前記締めつけナットを前記本体にねじ込んだあと締めつけるためにケーブルのまわりに該つかみ要素が締めつけられるような装置によって、達成される。
また、つかみ要素はすべて交差（ｃｒｏｓｓ）要素なしで軸方向に効果的に結合され、このことにより特につかみ要素の構造が簡単化され具体化が容易になる。
本発明のさらなる詳細は、添付の非限定的な説明図面を参照する以下の説明によってさらにはっきりするであろう。
図１は、組立てられケーブルに取りつけられたプラグの例を示す。
図２は、第一の実施態様における、プラグ本体の一部分とケーブル締めつけ装置との分解図である。
図３は、締めつけられた状態のケーブルを有する図２の装置の断面図である。
図４は、もう一つの実施態様における、アウトレットまたはプラグの本体の一部、つかみ要素、および締めつけナットの分解図である。
図５は、図４に示す要素の断面であるが、組立てられている。
図６は、締めつけ装置の軸を含む断面であるが、解放位置にある。この位置において、ナットとつかみ要素は本体に対して引き出された位置にあるが、まだ本体と結合したままである。
図７は、もう一つの実施態様における、アウトレットまたはプラグの本体の一部、つかみ要素、および締めつけナットの分解図である。
図８は、図７の実施態様による、つかみ要素とアウトレットまたはプラグ本体との接続を示す。
図９および１０は、それぞれ、組立てられた、図７のアウトレットまたはプラグの全要素の斜視図および側面図である。
図１１は、図９および１０の装置の縦断面図である。
前記図面において、プラグの全体を１０で示す。該プラグは、本体またはグリップ１１および保持要素１２から成り、これらは互いに結合され、また接続ジャックを収容している。接続ジャックは、この場合、ピン１３で示されている（図１）。ケーブル１４にまとめられた導線は、自由端から本体１１にはいり、接続ジャックに接続されている。
カラー１１′が本体１１の要素の自由端に備えられている（図２参照）。カラー１１′は、外側に、締めつけナット１６がねじ込まれるねじ１５を有し、また内側に、縦方向の円錐形溝１７′を有する受け座１７を有する。
つかみ締めつけ要素１８がカラー１１′とナット１６との間に、ケーブル１４と同心に取りつけられている。要素１８は可撓性ジョー１９を有し、ジョー１９は環状部分２０から延びている。
ジョー１９は少なくとも一つの円錐部分１９′を有し、円錐部分１９′は本体のカラー１１′の受け座１７の方に向いており、円錐形溝１７′に嵌合する。
一方、つかみ要素１８の環状部分２０は、ナット１６の内側に備えられた受け面（ｓｔｒｉｋｉｎｇ  ｓｕｒｆａｃｅ）２１の方に向いており、この面と相互作用する。
したがって、プラグ（またはアウトレット）が組立てられ配線されると、ケーブル１４の締めつけのためには、ナット１６を本体のねじ付きカラー１１′にねじ込むだけで良い。その際、つかみ要素１８のジョー１９はナット１６によって押され、円錐形溝１７′と相互作用して、ケーブル１４のまわりに押しつけられ、該ケーブルを締めつける。注意すべきことは、ジョー１９と円錐形受け座１７の溝１７′との間の結合により、ナットをねじ込むときにつかみ要素がナットとともに回転するのが防がれ、したがってケーブルの好ましくないねじれが避けられる、ということである。
図４〜６の実施例では、アウトレットまたはプラグの本体１１１の端部のみが部分的に示してある。本体１１１はこの部分に、雄ねじ１１５を備えたカラー１１１′を有し、カラー１１１′に締めつけナット１１６がねじ込まれる。本体１１１には、長さ方向に円錐形溝１１７′を有する受け座１１７も備えてあり、またつかみ要素１１８がケーブル締めつけのために前記カラー１１１′とナット１１６との間に取りつけてある。ケーブルは中心部を通っている。
図１〜３に関して述べたことと同様に、つかみ要素１１８は可撓性のジョー１１９を有し、ジョー１１９は環状部分１２０から出ていて、円錐形部分１１９′を有する。円錐形部分１１９′は本体のカラーの円錐形溝１１７′と結合させるためのものである。
つかみ要素１１８の環状部分１２０は、締めつけナット１１６の内側の環状受け面１２１の方に向いていて、これと相互作用する。
この実施態様の場合、つかみ要素１１８には、一つまたはより好ましくは二つの、直径端にあって対向する舌状部１２２、１２３も備えてあり、これらはつかみ要素１１８のジョー１１９に平行で、本体１１１の外側に備えられた対応する切り欠き（ｉｎｄｅｎｔａｔｉｏｎ）１２４、１２５に挿入されるようになっている。第一の舌状部１２２は、二つの隣接ジョー１１９の中間にあってこれらの外側に突き出ている、つかみ要素の付属物の形とすることができる。第二の舌状部１２３は、二つの隣接ジョー１１９の中間位置にあるが、これらに対して外側にずれており、またこの舌状部は環状部分１２０から延び出している。
第一の舌状部１２２は第二の舌状部１２３よりも長く、したがって舌状部１２２を収容するための切り欠き１２４は舌状部１２３のために備えられた切り欠き１２５よりも長く、またこの長い方の舌状部はナット１１６の開口部から突出する。
二つの横向きの固定用の歯１２２′、１２３′がそれぞれ舌状部１２２、１２３それぞれの両側に備えてある。
二つの対向歯１２４′および二つの対向歯１２５′が、それぞれ、切り欠き１２４、１２５それぞれの両側の、カラー１１１′の自由端に近いところに備えてある。
つかみ要素１１８の舌状部１２２、１２３（図４および６）は、それぞれ本体１１１の切り欠き１２４、１２５に強制的に挿入され、したがって前記要素は前記本体に対して軸方向に滑動することができる。しかし、つかみ要素１１８をゆるめる方向では、舌状部１２２、１２３の横向きの歯１２２′、１２３′が切り欠き１２４、１２５の両側の歯１２４′、１２５′にぶつかるので、要素そのもの（ｐｒｏｐｅｒ）の動きが止められ、したがってアウトレットまたはプラグの本体１１１から要素１１８がはずれるのが防がれる。
一方、締めつけナット１１６は、つかみ要素１１８と半径方向だけに結合した状態にとどまっているときでも、この結合により、アウトレットまたはプラグの本体１１１と結合した状態にとどまる。この目的のために、ナット１１６の環状受け面１２１の内部端が備えられ、溝１２６内に強制的に挿入されるようになっている。溝１２６はつかみ要素の突出部のまわりにあって、つかみ要素の環状部分１２０の上にある。したがって、この結合により、本体１１１のカラーのねじ部分にねじ込んだりゆるめたりするための、つかみ要素に対するナットの回転が可能になり、したがって前述のように、ナットとつかみ要素を互いに結合したままに保ち、かつ前記本体に結合したままに保つことが可能になる。
また、本発明においては、ナット１１６の開口部近くの内側に歯のついた冠部１２７が備えられ、また歯列１２７と相互作用させるための止め歯１２８が長い舌状部１２２の外表面に備えてある。
止め歯１２８は、本体１１１のねじ付きカラー１１１′にねじ込むためにナット１１６を左から右に一方向に回転させることを可能にし、一方このナットをゆるめるための反対方向の回転を防ぐようになっている。したがって、ナット１１６は、つかみ要素によってケーブルを締めつけるために底部までねじ込むことができるが、ケーブルの非意図的な解放により非制御的にゆるめられることはない。実際、ナットをゆるめるためには、道具を使用し、ゆるめ動作中、前記舌状部１２２を内側に押して止め歯１２８を歯列１２７からはずれた状態に保つように、前記舌状部１２２に意図的作用を加える必要があり、これは意図的にのみ可能である。
このように、ナットは、いったんつかみ要素によってケーブルを締めつけるためにねじ込まれると、非制御的な形でケーブルがゆるめられることによってゆるむことはありえず、ナットとつかみ要素は互いにまたアウトレットまたはプラグの本体に対して永久に結合したままになる。
やはり注意すべきことは、前記ケーブルが通過し、かつつかみ要素の下にある前記ケーブルのまわりのシールを保証する環状シール１２９を、前記締めつけおよび解放手段の影響を受けることなく、本体の内部に取りつけることができる、ということである。
図７〜１１に示す実施例においても、アウトレットまたはプラグの本体２１１は端部だけを部分的に示してあり、本体２１１は、この部分に、締めつけナット２１６がねじ込まれる雄ねじ部分２１５を有するカラー２１１′を有する。受け座２１７が本体２１１に備えてあり、受け座２１７は、本体の内側に向かって狭くなっている縦方向の円錐形溝２１７′を有する。
つかみ要素２１８がケーブル締めつけのためにカラー２１１′とナット２１６との間に取りつけてあり、該ケーブルは中心部を通り、シール２２９を通過している。
この場合にも、つかみ要素２１８は可撓性ジョー２１９を有し、ジョー２１９は環状部分２２０から出ていて、本体のカラーの円錐形溝２１７′と結合するための円錐形部分２１９′を有している。
つかみ要素２１８の環状部分２２０も、ナット２１６内部の環状受け面２２１の方を向いていて、これと相互作用し、ナットがねじ付き部分２１５にねじ込まれたとき、前記要素が本体内に押し込まれるようにする。
この場合、つかみ要素２１８には二つの舌状部２２２が備えてあり、本体２１１からの要素そのものの、ねじのゆるみによる解放を制限するようになっている。二つの舌状部２２２は同じものであって、同一直径の両端で対向していて、二つの隣接ジョーの間にあり、これらのジョーに対して外側にずれている。これらの舌状部は対応する切り欠き２２４に挿入されその内部を滑動するようになっている。切り欠き２２４は、平坦部分２２３に対応する、本体２１１のカラー２１１′の外側部分に備えてある。各舌状部２２２は二つの横向きの固定用の歯２２２′を有し、一方各切り欠き２２４の両側面には対向するステップ２２４′が、カラー２１１′の自由端近くに備えてある。
つかみ要素２１８の舌状部２２２はカラー２１１′のそれぞれの切り欠き２２４内に挿入され、前記要素が本体に対して軸方向に滑動できるようになっている。しかし、つかみ要素２１８の解放される方向では、舌状部２２２の横向きの歯２２２′が切り欠き２２４の側面のステップ２２４′にぶつかり、したがって要素そのものの動きが止められて、要素がアウトレットまたはプラグの本体２１１からはずれるのが防がれる。
さらに、締めつけナット２１６は、つかみ要素２１８に対して軸方向に結合した状態にとどまり、このつかみ要素により、アウトレットまたはプラグの本体２１１と結合した状態にとどまる。この目的のために、ナット２１６の環状受け面２２１の内部端が、溝２２６に強制的に挿入するために備えてあり、溝２２６は、つかみ要素の環状部分の上にある、つかみ要素の突出部のまわりにある。この溝は、図面に示すように、連続カラーまたは不連続カラーによって定めることができる。
この結合により、本体のカラーのねじ付き部分２１５にねじ込みまたはゆるめるために、ナット２１６をつかみ要素２１８に対して回転させることができるが、ナットとつかみ要素は互いに結合したままであり、また舌状部２２２により、アウトレットまたはプラグの本体に結合したままになる。
もう一つの特徴によれば、ナット２１６の外表面は歯列またはブローチ（ｂｒｏａｃｈｉｎｇ）２２７を有し、また、本体２１１には、カラー２１１′の片側に長さ方向にラグが備えられ、このラグは、ナット２１６がカラーそのものにねじ込まれたとき、カラー２１１′の側面平坦部２２３の一つの上方かつナット２１６の外側に延びる。ナット２１６の外側歯列またはブローチ２２７と係合させられる止め歯２２８′（図７〜９）が、ラグ２２８の内側表面に備えられている。ラグ２２８の止め歯２２８′は、ナットを本体２１１のねじ付きカラー２１１′にねじ込むときナットの一方向回転（左から右）を可能にする一方、ナットがゆるむ反対方向の回転を防ぐことを可能にするようになっている。したがって、ナット２１６は、つかみ要素によるケーブルの締めつけのために底部までねじ込むことができるが、ケーブルの非意図的なゆるみによる非制御的な形でゆるんで解放されることはありえない。
実際、ナットをゆるめるためには、ラグ２２８に対して道具を使用して、解放動作中に、ラグがナットから離れて外側歯２２７から止め歯２２８′がはずれるようにする動作を意図的に行う必要があり、したがってこれは意図した場合にのみ可能である。
【図１】
0003974944.tif 000002
【図２】
0003974944.tif 000003
【図３】
0003974944.tif 000004
【図４】
0003974944.tif 000005
【図５】
0003974944.tif 000006
【図６】
0003974944.tif 000007
【図７】
0003974944.tif 000008
【図８】
0003974944.tif 000009
【図９】
0003974944.tif 000010
【図１０】
0003974944.tif 000011
【図１１】
0003974944.tif 000012